(57)【要約】【課題】行先階登録装置を有する群管理システムにおいて、特定の利用者に対して優先的にサービスを提供可能とする。【解決手段】制御装置１０の制御部１１は、行先階登録装置２０から行先階に関する信号が入力された際に特定の利用者であることを示す信号が入力された特定行先階呼びが生じた場合は、複数の号機のうち、特定行先階呼びが生じてから特定の利用者が特定階で乗車可能となるまでの待ち時間が基準時間以内である号機を割り当てる。また、制御装置１０の制御部１１は、行先階登録装置２０から行先階に関する信号が入力された際に特定の利用者であることを示す信号が入力されない一般行先階呼びが生じた場合は、当該一般行先階呼びの後で発生する特定行先階呼びにおける待ち時間が基準時間内である号機が残存するように、当該一般行先階呼びに対して複数の号機のうちのいずれかの号機を割り当てる。【選択図】図１
2015067437.tif 000002
【特許請求の範囲】
【請求項１】
利用者が行先階を登録するための行先階登録装置と、前記行先階登録装置で登録された行先階に基づいて複数台のエレベータのうちのいずれかを割り当てる制御装置とを備えた、エレベータの群管理システムであって、
前記行先階登録装置は、
利用者により行先階が入力され、入力された行先階に関する信号を前記制御装置に出力する行先階入力部と、
特定の利用者により特定の利用者であることが入力され、入力者が特定の利用者であることを示す信号を前記制御装置に出力する利用者入力部と、を備え、
前記制御装置は、
基準時間と、特定の利用者に対応付けられた特定階とを記憶する記憶部と、
制御部と、を備え、
前記制御部は、
前記行先階登録装置から行先階に関する信号が入力された際に特定の利用者であることを示す信号が入力された特定行先階呼びが生じた場合は、前記複数の号機のうち、特定行先階呼びが生じてから前記特定の利用者が前記特定階で乗車可能となるまでの待ち時間が前記基準時間以内である号機を割り当て、
前記行先階登録装置から行先階に関する信号が入力された際に特定の利用者であることを示す信号が入力されない一般行先階呼びが生じた場合は、当該一般行先階呼びの後で発生する特定行先階呼びにおける待ち時間が前記基準時間内である号機が残存するように、当該一般行先階呼びに対して前記複数の号機のうちのいずれかの号機を割り当てる、
エレベータの群管理システム。
【請求項２】
前記制御部は、前記一般行先階呼びが生じた場合、前記複数の号機のそれぞれにおいて、当該一般行先階呼びを割り当てたと仮定して、当該一般行先階呼びの後で発生する特定行先階呼びにおける待ち時間が前記基準時間内の号機が存在するか否かの判断を行い、
前記待ち時間が前記基準時間内の号機が存在する場合は、前記待ち時間に関する判断を行った号機を当該一般行先階呼びに対する割当候補号機として設定し、前記待ち時間が前記基準時間内の号機が存在しない場合は、前記待ち時間に関する判断を行った号機を当該一般行先階呼びに対する割当候補号機として設定せず、
設定された割当候補号機の中から所定のルールにしたがって当該一般行先階呼びに対する割当号機を決定する、
請求項１記載のエレベータの群管理システム。
【請求項３】
前記制御部は、前記特定行先階呼びが生じた場合、前記複数の号機のそれぞれにおいて、当該特定行先階呼びを割り当てたと仮定して、当該特定行先階呼びにおける待ち時間が前記基準時間内の号機が存在するか否かの判断を行い、
前記待ち時間が前記基準時間内の号機が存在する場合は、前記待ち時間に関する判断を行った号機を当該特定行先階呼びに対する割当候補号機として設定し、前記待ち時間が前記基準時間内の号機が存在しない場合は、前記待ち時間に関する判断を行った号機を当該特定行先階呼びに対する割当候補号機として設定せず、
設定された割当候補号機の中から所定のルールにしたがって当該特定行先階呼びに対する割当号機を決定する、
請求項１記載のエレベータの群管理システム。
【請求項４】
利用者が行先階を登録するための行先階登録装置と、前記行先階登録装置で登録された行先階に基づいて複数台のエレベータのうちのいずれかを割り当てる制御装置とを備えた、エレベータの群管理システムであって、
前記行先階登録装置は、
利用者により行先階が入力され、入力された行先階に関する信号を前記制御装置に出力する行先階入力部と、
特定の利用者により特定の利用者であることが入力され、入力者が特定の利用者であることを示す信号を前記制御装置に出力する利用者入力部と、を備え
前記制御装置は、
基準時間と、特定の利用者に対応付けられた特定階とを記憶する記憶部と、
制御部と、を備え、
前記制御部は、
前記行先階登録装置から行先階に関する信号が入力された際に特定の利用者であることを示す信号が入力された特定行先階呼びが生じた場合は、前記複数の号機のうち、特定行先階呼びが生じてから前記特定の利用者が前記特定階で乗車して行先階で降車可能となるまでのサービス完了時間が前記基準時間以内である号機を割り当て、
前記行先階登録装置から行先階に関する信号が入力された際に前記特定の利用者であることを示す信号が入力されない一般行先階呼びが生じた場合は、当該一般行先階呼びの後で発生する特定行先階呼びにおけるサービス完了予定時間が前記基準時間内である号機が残存するように、当該一般行先階呼びに対して前記複数の号機のうちのいずれかの号機を割り当てる、
エレベータの群管理システム。
【請求項５】
前記制御部は、前記一般行先階呼びが生じた場合、前記複数の号機のそれぞれにおいて、当該一般行先階呼びを割り当てたと仮定して、当該一般行先階呼びの後で発生する特定行先階呼びにおける前記サービス完了時間が前記基準時間内の号機が存在するか否かの判断を行い、
前記サービス完了時間が前記基準時間内の号機が存在する場合は、前記サービス完了時間に関する判断を行った号機を当該一般行先階呼びに対する割当候補号機として設定し、前記サービス完了時間が前記基準時間内の号機が存在しない場合は、前記サービス完了時間に関する判断を行った号機を当該一般行先階呼びに対する割当候補号機として設定せず、
設定された割当候補号機の中から所定のルールにしたがって当該一般行先階呼びに対する割当号機を決定する、
請求項４記載のエレベータの群管理システム。
【請求項６】
前記制御部は、前記特定行先階呼びが生じた場合、前記複数の号機のそれぞれにおいて、当該特定行先階呼びを割り当てたと仮定して、当該特定行先階呼びにおけるサービス完了時間が前記基準時間内の号機が存在するか否かの判断を行い、
前記サービス完了時間が前記基準時間内の号機が存在する場合は、前記サービス完了時間に関する判断を行った号機を当該特定行先階呼びに対する割当候補号機として設定し、前記サービス完了時間が前記基準時間内の号機が存在しない場合は、前記サービス完了時間に関する判断を行った号機を当該特定行先階呼びに対する割当候補号機として設定せず、
設定された割当候補号機の中から所定のルールにしたがって当該特定行先階呼びに対する割当号機を決定する、
請求項４記載のエレベータの群管理システム。
【発明の詳細な説明】
【技術分野】
【０００１】
本発明は、登録された行先階に基づいて複数台のエレベータのうちのいずれかを割当可能なエレベータの群管理システムに関する。
【背景技術】
【０００２】
特許文献１には、利用者が行先階を登録するための行先階登録装置と、前記行先階登録装置で登録された行先階に基づいて複数台の号機のうちのいずれかの号機を割り当てる制御装置とを備えた、エレベータの群管理システムが開示されている。
【先行技術文献】
【特許文献】
【０００３】
【特許文献１】特開２０１１−３２０５３号公報
【発明の概要】
【発明が解決しようとする課題】
【０００４】
行先階登録装置を有する群管理システムにおいて、特定の利用者に対して優先的にサービスを提供したいとの要求がある。
【０００５】
本発明は、行先階登録装置を有する群管理システムにおいて、特定の利用者に対して優先的にサービスを提供可能とすることを課題とする。
【課題を解決するための手段】
【０００６】
本発明の第１の態様のエレベータの群管理システムは、利用者が行先階を登録するための行先階登録装置と、行先階登録装置で登録された行先階に基づいて複数台のエレベータのうちのいずれかを割り当てる制御装置とを備えた、エレベータの群管理システムである。
行先階登録装置は、利用者により行先階が入力され、入力された行先階に関する信号を制御装置に出力する行先階入力部と、特定の利用者により特定の利用者であることが入力され、入力者が特定の利用者であることを示す信号を制御装置に出力する利用者入力部と、を備える。
制御装置は、基準時間と、特定の利用者に対応付けられた特定階とを記憶する記憶部と、制御部と、を備える。
制御装置の制御部は、行先階登録装置から行先階に関する信号が入力された際に特定の利用者であることを示す信号が入力された特定行先階呼びが生じた場合は、複数の号機のうち、特定行先階呼びが生じてから特定の利用者が特定階で乗車可能となるまでの待ち時間が基準時間以内である号機を割り当てる。また、制御装置の制御部は、行先階登録装置から行先階に関する信号が入力された際に特定の利用者であることを示す信号が入力されない一般行先階呼びが生じた場合は、当該一般行先階呼びの後で発生する特定行先階呼びにおける待ち時間が基準時間内である号機が残存するように、当該一般行先階呼びに対して複数の号機のうちのいずれかの号機を割り当てる。
【０００７】
本発明の第２の態様のエレベータの群管理システムは、利用者が行先階を登録するための行先階登録装置と、行先階登録装置で登録された行先階に基づいて複数台のエレベータのうちのいずれかを割り当てる制御装置とを備えた、エレベータの群管理システムである。
行先階登録装置は、利用者により行先階が入力され、入力された行先階に関する信号を制御装置に出力する行先階入力部と、特定の利用者により特定の利用者であることが入力され、入力者が特定の利用者であることを示す信号を制御装置に出力する利用者入力部と、を備える。
制御装置は、基準時間と、特定の利用者に対応付けられた特定階とを記憶する記憶部と、制御部と、を備える。
制御装置の制御部は、行先階登録装置から行先階に関する信号が入力された際に特定の利用者であることを示す信号が入力された特定行先階呼びが生じた場合は、複数の号機のうち、特定行先階呼びが生じてから特定の利用者が特定階で乗車して行先階で降車可能となるまでのサービス完了時間が基準時間以内である号機を割り当てる。また、制御装置の制御部は、行先階登録装置から行先階に関する信号が入力された際に特定の利用者であることを示す信号が入力されない一般行先階呼びが生じた場合は、当該一般行先階呼びの後で発生する特定行先階呼びにおけるサービス完了予定時間が基準時間内である号機が残存するように、当該一般行先階呼びに対して複数の号機のうちのいずれかの号機を割り当てる。
【発明の効果】
【０００８】
本発明によれば、一般行先階呼びが生じた場合、当該一般行先階呼びの後で発生する特定行先階呼びにおける待ち時間が基準時間内である号機が残存するように、当該一般行先階呼びに対して複数の号機のうちのいずれかの号機が割り当てられる。または、当該一般行先階呼びの後で発生する特定行先階呼びにおけるサービス完了予定時間が基準時間内である号機が残存するように、当該一般行先階呼びに対して複数の号機のうちのいずれかの号機が割り当てられる。したがって、特定の利用者は、行先階を入力してから基準時間内にいずれかの号機に乗車し、あるいは行先階を入力してから基準時間内に行先階で降車することができる。したがって、行先階登録装置を有する群管理システムにおいて、特定の利用者に対して優先的にサービスを提供することができる。
【図面の簡単な説明】
【０００９】
【図１】実施形態１に係るエレベータの群管理システムの構成を示すブロック図である。
【図２】実施形態１に係るエレベータの群管理システムの制御装置の機能を示す機能ブロック図である。
【図３】実施形態１に係るエレベータの群管理システムの行先階登録装置の構成を示すブロック図である。
【図４】実施形態１に係るエレベータの群管理システムの行先階登録装置の外観を示す図である。
【図５】実施形態１に係るエレベータの群管理システムにおいて一般行先階呼びに対して実行される号機の割当動作の流れを示すフローチャートである。
【図６】実施形態１に係るエレベータの群管理システムにおいて特定行先階呼びに対して実行される号機の割当動作の流れを示すフローチャートである。
【図７】実施形態１に係るエレベータの群管理システムにおいて一般行先階呼びに対して実行される号機の割当動作を説明するためのエレベータシャフト断面図である。
【図８】実施形態１に係るエレベータの群管理システムにおいて一般行先階呼びに対して実行される号機の割当動作を説明するためのエレベータ運行線図である。
【図９】実施形態１に係るエレベータの群管理システムにおいて一般行先階呼びに対して実行される号機の割当動作を説明するためのエレベータシャフト断面図である（例１）。
【図１０Ａ】実施形態１に係るエレベータの群管理システムにおいて一般行先階呼びに対して実行される号機の割当動作を説明するためのエレベータ運行線図である（例１）。具体的に、６階での１階への新規の一般行先階呼びをＡ号機に仮割当した場合を示す。
【図１０Ｂ】実施形態１に係るエレベータの群管理システムにおいて一般行先階呼びに対して実行される号機の割当動作を説明するためのエレベータ運行線図である（例１）。具体的に、６階での１階への新規の一般行先階呼びをＢ号機に仮割当した場合を示す。
【図１０Ｃ】実施形態１に係るエレベータの群管理システムにおいて一般行先階呼びに対して実行される号機の割当動作を説明するためのエレベータ運行線図である（例１）。具体的に、６階での１階への新規の一般行先階呼びをＣ号機に仮割当した場合を示す
【図１１】実施形態１に係るエレベータの群管理システムにおいて一般行先階呼びに対して実行される号機の割当動作を説明するためのエレベータシャフト断面図である（例２）。
【図１２Ａ】実施形態１に係るエレベータの群管理システムにおいて一般行先階呼びに対して実行される号機の割当動作を説明するためのエレベータ運行線図である（例２）。具体的に、４階での８階への新規の一般行先階呼びをＡ号機に仮割当した場合を示す。
【図１２Ｂ】実施形態１に係るエレベータの群管理システムにおいて一般行先階呼びに対して実行される号機の割当動作を説明するためのエレベータ運行線図である（例２）。具体的に、４階での８階への新規の一般行先階呼びをＢ号機に仮割当した場合を示す。
【図１２Ｃ】実施形態１に係るエレベータの群管理システムにおいて一般行先階呼びに対して実行される号機の割当動作を説明するためのエレベータ運行線図である（例２）。具体的に、４階での８階への新規の一般行先階呼びをＣ号機に仮割当した場合を示す。
【図１３】実施形態２に係るエレベータの群管理システムにおいて一般行先階呼びに対して実行される号機の割当動作の流れを示すフローチャートである。
【図１４】実施形態２に係るエレベータの群管理システムにおいて特定行先階呼びに対して実行される号機の割当動作の流れを示すフローチャートである。
【発明を実施するための形態】
【００１０】
本発明の実施形態に係るエレベータの群管理システムについて図面を参照して説明する。
【００１１】
（発明の背景）
従来型の上下方向の乗場呼び釦を備えたエレベータの群管理システムにおいては、特定の利用者に対して優先的にサービス（優先サービス）を提供する場合、優先サービス対象号機に割り当てられていた乗場呼びを他号機に割り当て変更している。優先サービスの要請方法は、例えばＩＤカードの提示、ビル受付での呼び登録、遠隔監視装置で呼び登録等の方法がある。
【００１２】
これに対し、行先階登録装置を備えたエレベータの群管理システムにおいては、複数の号機に分散して一旦割り当てた呼びを他号機へ割り当て変更した場合、割当変更があったことを不特定多数の利用者が確実に認識するとは限らない。したがって、乗場行先階登録装置を備えたエレベータの群管理システムにおいては、呼びの割り当て変更は困難である。そこで、本発明は、呼びの割り当て変更等を行うことなく、優先サービスを提供可能なエレベータの群管理システムを提供することを目的とする。
【００１３】
（実施形態１）
１．構成
図１は、実施形態１に係るエレベータの群管理システムの構成を示すブロック図である。
【００１４】
エレベータの群管理システムは、制御装置１０、及び行先階登録装置２０を有する。エレベータの群管理システムは、複数台のエレベータ３０の走行を統合的に制御する。また、エレベータの群管理システムは、行先階登録装置２０で登録された行先階呼びに対して複数台のエレベータ３０のうちのいずれかを割当てる制御を行う。本実施形態では、行先階登録装置２０は、ビルの各階に配備されているものとする。
【００１５】
制御装置１０は、制御部１１、記憶部１２、及び入出力インタフェース１３を備える。制御部１１は、記憶部１２に記憶されたプログラムを実行して種々の制御を行う。記憶部１２は、プログラム、及び種々のデータを記憶している。
【００１６】
入出力インタフェース１３は、行先階登録装置２０及び複数のエレベータ３０との間で信号を送受信するためのインタフェースである。入出力インタフェース１３は、制御部１１から出力される信号を所定の形式の信号に変換して出力する。また、入出力インタフェース１３は、行先階登録装置２０及び複数のエレベータ３０から入力された信号を所定の形式の信号に変換して制御部１１に出力する。
【００１７】
図２は、実施形態１に係るエレベータの群管理システムの制御装置１０の機能を示す機能ブロック図である。
【００１８】
制御装置１０の制御部１１は、行先階登録部１１Ａ、応答時間計算部１１Ｂ、行先階割当部１１Ｃ、割当候補判定部１１Ｄ、学習部１１Ｅの各機能を実現する。具体的に、エレベータの乗場に設置された行先階登録装置２０において、利用者により行先階が入力されると、行先階登録装置２０は、入力された行先階呼びに関する情報を制御装置１０に送信する。このとき、制御装置１０の行先階登録部１１Ａは、入出力インタフェース１３を介して行先階登録装置２０から受信した行先階呼びに関する情報を記憶部１２に記録する（登録する）。学習部１１Ｅは、各エレベータ制御装置３０から受信したエレベータ状態（走行状態、扉状態、荷重状態など）に関する情報及び、呼び登録状態に関する情報に基づき、階床間走行時間、扉開閉時間、停止時間、呼び発生頻度などを学習する。応答時間計算部１１Ｂは、各号機が任意の階の呼びへの応答に要する時間（応答時間（待ち時間））を、呼び登録状態に関する情報、各エレベータの状態に関する情報、及び、学習部１１Ｅによる学習結果に基づき計算する。割当候補判定部１１Ｄは、特定利用者に対するサービスの条件（後述する）を満たすように、登録された行先階呼びに対する割当候補号機を決定する。行先階割当部１１Ｃは、割当候補判定部１１Ｄが設定した割当候補号機の中から、平均待ち時間の短縮などを目的として、全体のサービスを最適化するように、登録された行先階呼びに対する割当号機を決定する。行先階割当部１１Ｃは、決定した割当号機のエレベータ制御装置３０に、当該行先階呼びに対して当該号機をサービスさせる指令信号を送信する。また、行先階割当部１１Ｃは、当該行先階呼びが入力された行先階登録装置２０に、割当号機に関する信号を送信する。指令信号を受信すると、エレベータ制御装置３０は、当該行先階呼びに対して号機のかごを、進行方向順に駆動する。また、割当号機に関する信号を受信すると、行先階登録装置２０は、制御装置１０から受信した割当号機に関する信号に基づき、割当号機に関する信号が示す情報を表示部２４の号機表示部２４ａに表示させる。
【００１９】
図３は、実施形態１に係るエレベータの群管理システムの行先階登録装置２０の構成を示すブロック図である。
【００２０】
行先階登録装置２０は、制御部２１、記憶部２２、入出力インタフェース２３、表示部２４、行先階入力部２５、及びカードリーダ２６を有する。
【００２１】
制御部２１は、記憶部２２に記憶されたプログラムを実行して種々の制御を行う。
【００２２】
記憶部２２は、プログラム、及び種々のデータを記憶している。データとして、例えば、記憶部２２は、当該行先階登録装置２０のＩＤや設置階を記憶している。また、記憶部２２は、特定利用者に対するサービスのための条件を記憶している。記憶部２２は、例えば、特定利用者に対するサービス（特定サービス）の条件として、特定サービスの対象階（特定の利用者がＩＤカードを提示することにより優先サービスを受けることが可能な特定階。以下「特定サービス対象階」という）、及び基準時間を記憶している。また、記憶部２２は、各エレベータ制御装置３０から受信したエレベータ状態（走行状態、扉状態、荷重状態など）に関する情報や、学習した階床間走行時間、扉開閉時間、停止時間、呼び発生頻度などを適宜に更新しながら記憶している。
【００２３】
入出力インタフェース２３は、制御装置１０との間で信号を送受信するためのインタフェースである。入出力インタフェース２３は、制御部２１から出力される信号を所定の形式の信号に変換して出力する。また、入出力インタフェース２３は、制御装置１０から入力された信号を所定の形式の信号に変換して制御部２１に出力する。
【００２４】
表示部２４は、制御部２１から出力される表示信号に基づく表示を行う。
【００２５】
行先階入力部２５は、利用者が行先階を入力するためのインタフェースである。本実施形態では、行先階入力部２５として、例えば、図４に示すように、テンキーを採用している。行先階入力部２５は、行先階等に関する信号を制御部２１に出力する。
【００２６】
カードリーダ２６は、当該エレベータの所定の機能を利用するためのＩＤカードが提示されたときに、当該ＩＤカードに記録されている情報を読み取る。カードリーダ２６及びＩＤカードは、ＩＣカードでも磁気カードでもよい。ＩＤカードには、例えばＩＤカードのＩＤコード、当該ＩＤカードの利用者が特定の利用者であること、特定利用者による行先階呼びに関する行先階等が記録されている。また、当該ＩＤカードの利用者が特定の利用者であることが記録されている。カードリーダ２６は、ＩＤカードが提示され、当該ＩＤカードに記録されているＩＤ情報等を読み取ると、読み取った情報を示す信号を制御部２１に出力する。
【００２７】
なお、ＩＤカードのＩＤコードに対応させて行先階を予め行先階登録装置の記憶部２２または制御装置１０の記憶部１２に記憶させておき、カードリーダ２６によりＩＤカードのＩＤコードが認識されたときに、制御装置１０は、ＩＤコードに基づいて行先階を自動で設定するようにしてもよい。
【００２８】
図４は、実施形態１に係るエレベータの群管理システムの行先階登録装置２０の外観を示す図である。表示部２４は、行先階登録装置２０の前面の上部に配置されている。表示部２４は、割当号機を表示する割当号機表示部２４ａ、及び行先階を表示する行先階表示部２４ｂを有する。行先階入力部２５は、行先階登録装置２０の前面の中央部に配置されている。カードリーダ部２６は、行先階登録装置２０の前面の下部に配置されている。
【００２９】
２．動作
エレベータの群管理システムにおいて実行される動作を説明する。
【００３０】
行先階登録装置２０の行先階入力部２５に対して行先階の指定操作が行われると、行先階入力部２５は、行先階の情報等を含む行先階呼びの信号を行先階登録装置２０の制御部２１に出力する。制御部２１は、指定操作に対応する行先階呼びの信号に所定の処理を施した後、当該処理後の信号を入出力インタフェース２３を介して制御装置１０に出力する。
【００３１】
また、行先階登録装置２０のカードリーダ２６に対してＩＤカードが提示されると、カードリーダ２６は、当該ＩＤカードに記録されているＩＤ情報等を読み取り、読み取ったＩＤ情報等を示す信号を制御部２１に出力する。制御部２１はＩＤ情報等を示す信号に所定の処理を施した後、当該処理後の信号を入出力インタフェース２３を介して制御装置１０に出力する。
【００３２】
行先階登録装置２０から行先階呼びの信号を受信した場合、制御装置１０は、当該行先階呼びの信号の受信の前後の所定時間内に行先階登録装置２０からＩＤ情報等を示す信号を受信したか否かを判定する。そして、行先階呼びの信号の受信前の所定時間内にカードリーダ２６からＩＤ情報等を示す信号（特定の利用者であることを示す信号）を受信した場合、制御装置１０は、特定の利用者による行先階呼び（以下適宜「特定行先階呼び」という）が生じたものとして以後の制御を実行する。これに対し、行先階呼びの信号の受信前の所定時間内に行先階登録装置２０からＩＤ情報等を示す信号（特定の利用者であることを示す信号）を受信しない場合、制御装置１０は、一般の利用者による行先階呼び（以下適宜「一般行先階呼び」という）が生じたものとして以後の制御を実行する。
【００３３】
そして、制御装置１０は、行先階登録装置２０から受信し行先階呼びが、特定行先階呼びか一般行先階呼びかに応じて、複数台のエレベータの中から割当可能な号機（以下、適宜「割当候補号機」という）を決定する。
【００３４】
まず、一般行先階呼びがなされた場合の号機の割当動作を説明し、次に特定行先階呼びがなされた場合の号機の割当動作について説明する。
【００３５】
図５は、実施形態１に係るエレベータの群管理システムにおいて一般行先階呼びに対して実行される動作の流れを示すフローチャートである。
【００３６】
まず、制御装置１０は、号機番号ｃａｒとして１を設定する（Ｓ１１）。なお、号機番号がｃａｒの号機を以下適宜「ｃａｒ号機」という。
【００３７】
制御装置１０は、ｃａｒ号機に対して当該一般行先階呼びを割当した場合における、各号機の特定サービス対象階に対する応答時間（待ち時間）を計算する（Ｓ１２）。応答時間（待ち時間）とは、特定行先階呼びが生じてから特定利用者が特定サービス対象階でエレベータに乗車可能となるまでの時間（エレベータが特定サービス対象階に到着するまでの時間）である。具体的に、制御装置１０は、現在の各号機の状態、現在の行先階呼びの登録状態、及び学習結果等に基づき応答時間を算出する。制御装置１０は、応答時間の算出において、各号機に割り当てられている全ての行先階呼びをサービスし終えた後、特定行先階呼びに応答するものとして演算する。制御装置１０は、優先サービスを行っている号機に対して、新規の行先階呼びの割り当てを行わず、優先サービス完了後（特定の利用者を運び終わった後）、通常のサービスに復帰する。なお、優先サービス完了後の応答を前提として新規呼びを割り当ててもよい。
【００３８】
制御装置１０は、特定サービス対象階に基準時間内に応答可能な号機が存在するか否かを判断する（Ｓ１３）。判断の具体例については後述する。なお、本実施形態では、基準時間を例えば３０秒に設定している。しかし、基準時間はこれに限定されず、３０秒より長くても、短くてもよい。長くすれば、割当候補号機を増加させることができるが、特定行先階呼びを行った利用者の待ち時間が長くなる。短くすれば、特定行先階呼びを行った利用者の待ち時間が短くなるが、割当候補号機が少なくなる。
【００３９】
特定サービス対象階に基準時間内に応答可能な号機が存在するときは（Ｓ１３でＹＥＳ）、制御装置１０は、ｃａｒ号機を割当候補号機として追加する（Ｓ１４）。なお、ｃａｒ号機が特定サービス対象階に基準時間内に応答可能と判断された場合、ｃａｒ号機自体が割当候補号機となることがある。
【００４０】
これに対し、特定サービス対象階に基準時間内に応答可能な号機が存在しないときは（Ｓ１３でＮＯ）、制御装置１０は、ｃａｒ号機を割当候補号機として追加しない。
【００４１】
ステップＳ１３の判断処理またはステップＳ１４の処理が完了すると、制御装置１０は、全号機に対してステップ１３の判断処理が完了したか否かを判断する（Ｓ１５）。
【００４２】
全号機に対するステップＳ１５の判断処理が完了していない場合（Ｓ１５でＮＯ）制御装置１０は、号機番号ｃａｒに１を加算し（Ｓ１６）、ステップＳ１２以後の処理を実行する。
【００４３】
これに対し、全号機に対するステップＳ１５の判断処理が完了した場合（Ｓ１５でＹＥＳ）、制御装置１０は、割当候補号機が存在したか否かを判断する（Ｓ１７）。ここで、本実施形態における号機の割当処理を行った場合、基本的には、特定サービス対象階に基準時間内に応答可能な割当候補号機が少なくとも１台は存在する。しかし、割当候補号機が１台だけの場合に、２つの特定サービス対象階から同時にまたはほぼ同時に特定行先階呼びが発生した場合、いずれか１つの行先階呼びに対しては現存の割当候補号機を割当てることができるが、残りの行先階呼びに対しては現存の割当候補号機を割り当てることはできないこととなる。本ステップＳ１７は、このような通常でない状態に対応可能なように設けられている。
【００４４】
割当候補号機が存在する場合（Ｓ１７でＹＥＳ）、制御装置１０は、割当候補号機の中から実際に割り当てる割当号機を決定する（Ｓ１９）。
【００４５】
これに対し、割当候補号機が存在しない場合（Ｓ１７でＮＯ）、全ての号機を割当候補号機として強制的に設定した上で（Ｓ１８）、割当候補号機の中から実際に割り当てる割当号機を決定する（Ｓ１９）。
【００４６】
次に、実施形態１に係るエレベータの群管理システムにおいて特定行先階呼びがなされた場合の号機の割当動作について説明する。
【００４７】
図６は、実施形態１に係るエレベータの群管理システムにおいて特定行先階呼びに対して実行される動作の流れを示すフローチャートである。
【００４８】
まず、制御装置１０は、号機番号ｃａｒとして１を設定する（Ｓ２１）。
【００４９】
制御装置１０は、当該特定行先階呼びに対する当該特定サービス対象階へのｃａｒ号機の応答時間を計算する（Ｓ２２）。具体的に、制御装置１０は、現在のｃａｒ号機のエレベータ状態、現在の行先階呼びの登録状態、及び学習部１１Ｅの学習結果等に基づき応答時間を算出する。ここで、応答時間とは、一般行先階呼びの場合同様、特定行先階呼びが生じてから、利用者がエレベータに乗車可能となるまでの時間である。
【００５０】
制御装置１０は、求めたｃａｒ号機の応答時間が基準時間以下か否かを判断する（Ｓ２３）。つまり、ｃａｒ号機が基準時間以内に当該特定サービス対象階に到着可能か否かを判断する。判断の具体例については後述する。
【００５１】
求めたｃａｒ号機の応答時間が基準時間以下のときは（Ｓ２３でＹＥＳ）、制御装置１０は、ｃａｒ号機を割当候補号機として追加する（Ｓ２４）。
【００５２】
これに対し、求めたｃａｒ号機の応答時間が基準時間以下でないときは（Ｓ２３でＮＯ）、制御装置１０は、ｃａｒ号機を割当候補号機として追加しない。
【００５３】
ステップＳ２３の判断処理またはステップＳ２４の処理が完了すると、制御装置１０は、全号機に対してステップＳ２３の判断処理が完了したか否かを判断する（Ｓ２５）。
【００５４】
全号機に対するステップＳ２５の判断処理が完了していない場合（Ｓ２５でＮＯ）制御装置１０は、号機番号ｃａｒに１を加算し（Ｓ２６）、ステップＳ２２以後の処理を実行する。
【００５５】
これに対し、全号機に対するステップＳ２３の判断処理が完了した場合（Ｓ２５でＮＯ）、制御装置１０は、割当候補号機が存在したか否かを判断する（Ｓ２７）。ここで、本実施形態における号機の割当処理を行った場合、基本的には、特定サービス対象階に基準時間内に応答可能な割当候補号機が少なくとも１台は存在する。しかし、割当候補号機が１台だけの場合に、２つの特定サービス対象階から同時にまたはほぼ同時に特定行先階呼びが発生した場合、いずれか１つの行先階呼びに対しては現存の割当候補号機を割当てることができるが、残りの行先階呼びに対しては現存の割当候補号機を割り当てることはできないこととなる。本ステップＳ２７は、このような通常でない状態に対応可能なように設けられている。
【００５６】
割当候補号機が存在する場合（Ｓ２７でＹＥＳ）、制御装置１０は、割当候補号機の中から実際に割り当てる割当号機を決定する（Ｓ２９）。
【００５７】
これに対し、割当候補号機が存在しない場合（Ｓ２７でＮＯ）、全ての号機を割当候補号機として強制的に設定した上で（Ｓ２８）、割当候補号機の中から実際に割り当てる割当号機を決定する（Ｓ２９）。
【００５８】
（応答時間の算出例）
次に、実施形態１に係るエレベータの群管理システムにおいて一般行先階呼びに対して実行される号機の割当動作の例を説明する。
【００５９】
図７は、実施形態１に係るエレベータの群管理システムにおいて一般行先階呼びに対して実行される号機の割当動作を説明するためのエレベータシャフト断面図である。
【００６０】
本例において、現在、Ａ号機は、乗客の行先階である８階に向けてＵＰ走行中とする。Ｂ号機は、１階の行先階呼びに応答するためＤＯＷＮ走行中であり、１階で乗客を乗せた後５階までＵＰ走行する予定とする。Ｃ号機は、行先階呼びを持たず、５階で待機中とする。
【００６１】
図８は、実施形態１に係るエレベータの群管理システムにおいて一般行先階呼びに対して実行される号機の割当動作を説明するためのエレベータ運行線図である。具体的に、図８は、図７における各号機の動きを、横軸を時刻、縦軸を階床として折れ線で示した図である。実線は、既登録の行先階呼びによるエレベータの動きを示す。破線は、号機を特定サービス対象階（１階と９階）に最短時間で応答させる場合の号機の動きを示す。本例では、基準時間（許容待ち時間）を３０秒に設定している。
【００６２】
本例では、Ａ号機は、８階までのＵＰ走行後、特定サービス対象階（１階または９階）に走行することとなる。そのため、Ａ号機の９階への応答時間は２０秒、１階への応答時間は３５秒となる。Ｂ号機は、１階の行先階呼びに応答するため、１階までＤＯＷＮ走行し、１階で乗客を乗せて５階までＵＰ走行し、その後、特定サービス対象階（１階または９階）に走行することとなる。そのため、Ｂ号機の９階への応答時間は５０秒、１階への応答時間は５０秒となる。Ｃ号機は、行先階呼びを持たず、５階で待機中であるので、特定行先階呼びがあった場合、即座に、特定サービス対象階（１階または９階）に走行することができる。そのため、Ｃ号機の９階への応答時間は１２．５秒、１階への応答時間は１２．５秒となる。
【００６３】
（判断例１）
図９は、実施形態１に係るエレベータの群管理システムにおいて一般行先階登録に対して実行される号機の割当動作を説明するためのエレベータシャフト断面図である（判断例１）。図１０Ａ、図１０Ｂ、図１０Ｃは、実施形態１に係るエレベータの群管理システムにおいて一般行先階登録に対して実行される号機の割当動作を説明するためのエレベータ運行線図である（判断例１）。図９、図１０Ａ、図１０Ｂ、図１０Ｃは、一例として、新規に、６階で１階への一般行先階呼びが行先階登録装置２０に入力された場合を示している。具体的に、図１０Ａは、当該６階での１階への新規の一般行先階呼びをＡ号機に仮割当した場合を示し、図１０Ｂは、同新規の一般行先階呼びをＢ号機に仮割当した場合を示し、図１０Ｃは、同新規の一般行先階呼びをＣ号機に仮割当した場合を示す。なお、いずれの図においても、実線で示す運行線は、既に登録されている一般行先階呼びまたは当該新規の一般行先階呼びに関する運行線を示し、点線で示す運行線は、これらの一般行先階呼びの後で仮割当した特定行先階呼びに関する運行線を示す。なお、これらの図で示す時間は、一例であり、エレベータの仕様や運行状態、階床間距離等によって変化する。
【００６４】
（１）Ａ号機に仮割当した場合
図１０Ａに示すように、６階での１階への一般行先階呼びを例えばＡ号機に仮割当した場合、Ａ号機は、既存の８階への行先階呼びに対して応答し、新規の６階での１階への行先階呼びに対して応答した後、特定行先階呼びに対して応答可能な状態となる。ここで、Ａ号機においては、この新規の６階での１階への行先階呼びに応答して１階に到着した時点で既に４５秒が経過している。つまり、この時点で既に基準時間の３０秒よりも長くなっている。そのため、Ａ号機は、１階及び９階での特定行先階呼びに対して基準時間内に応答可能な号機ではない。Ｂ号機は、９階への応答時間は５０秒、１階への応答時間は５０秒である。そのため、Ｂ号機は、１階及び９階での特定行先階呼びに対して基準時間内に応答可能な号機ではない。Ｃ号機は、９階への応答時間は１２．５秒、１階への応答時間は１２．５秒である。そのため、Ｃ号機は、１階及び９階での特定行先階呼びに対して基準時間内に応答可能な号機である。よって、Ａ号機に、６階での１階への一般行先階呼びを仮割当した場合、１階での特定行先階呼びに対して基準時間内に応答可能な号機としてＣ号機が存在し、９階での特定行先階呼びに対して基準時間内に応答可能な号機としてＣ号機が存在する。したがって、Ａ号機を、当該一般行先階呼びに対する割当候補号機とする。
【００６５】
（２）Ｂ号機に仮割当した場合
図１０Ｂに示すように、６階での１階への一般行先階呼びを例えばＢ号機に仮割当した場合、Ｂ号機は、既存の１階での５階への行先階呼びに対して応答し、当該新規の６階での１階への行先階呼びに対して応答した後、特定行先階呼びに対して応答可能な状態となる。ここで、Ｂ号機においては、この既存の１階での５階への行先階呼びに対して応答して５階へ到着し、出発可能となる時点で既に３７．５秒が経過している。つまり、この時点で基準時間の３０秒よりも長くなっている。そのため、Ｂ号機は、１階及び９階での特定行先階呼びに対して基準時間内に応答可能な号機ではない。Ａ号機は、９階への応答時間は２０秒、１階への応答時間は３５秒である。そのため、Ａ号機は、９階での特定行先階呼びに対して基準時間内に応答可能な号機であるが、１階での特定行先階呼びに対して基準時間内に応答可能な号機ではない。Ｃ号機は、Ａ号機に当該一般行先階呼びを仮割当した場合同様、９階への応答時間は１２．５秒、１階への応答時間は１２．５秒である。そのため、Ｃ号機は、１階及び９階での特定行先階呼びに対して基準時間内に応答可能な号機である。よって、Ｂ号機に、６階での１階への一般行先階呼びを仮割当した場合、１階での特定行先階呼びに対して基準時間内に応答可能な号機としてＣ号機が存在し、９階での特定行先階呼びに対して基準時間内に応答可能な号機としてＡ号機及びＣ号機が存在する。したがって、Ｂ号機を、当該一般行先階呼びに対する割当候補号機とする。
【００６６】
（３）Ｃ号機に仮割当した場合
図１０Ｃに示すように、６階での１階への一般行先階呼びを例えばＣ号機に仮割当した場合、Ｃ号機は、行先階呼びを持たず、５階で待機中であるので、即座に当該新規の６階での１階への行先階呼びに対して応答した後、特定行先階呼びに対して応答可能な状態となる。この場合、１階への応答時間は、当該新規の６階での１階への行先階呼びにより１階に到着した時点の２７．５秒となる。これに対し、９階へは、１階で乗員を降車させた後（３５秒の時点）、９階へ向かうこととなるため、９階への応答時間は、６０秒である。そのため、Ｃ号機は、１階での特定行先階呼びに対して基準時間内に応答可能な号機であるが、９階での特定行先階呼びに対して基準時間内に応答可能な号機ではない。Ａ号機は、図８で説明したのと同じ状態であり、９階への応答時間は２０秒、１階への応答時間は３５秒である。そのため、Ａ号機は、９階での特定行先階呼びに対して基準時間内に応答可能な号機であるが、１階での特定行先階呼びに対して基準時間内に応答可能な号機ではない。Ｂ号機は、図８で説明したのと同じ状態であり、９階への応答時間は５０秒、１階への応答時間は５０秒である。そのため、Ｂ号機は、１階及び９階での特定行先階呼びに対して基準時間内に応答可能な号機ではない。よって、Ｃ号機に、６階での１階への一般行先階呼びを仮割当した場合、１階での特定行先階呼びに対して基準時間内に応答可能な号機としてＣ号機が存在し、９階での特定行先階呼びに対して基準時間内に応答可能な号機としてＡ号機が存在する。したがって、Ｃ号機を、当該一般行先階呼びに対する割当候補号機とする。
【００６７】
（４）割当号機の決定
上述のように、本例では、Ａ号機、Ｂ号機、及びＣ号機のいずれをも、６階での１階への一般行先階呼びに対する割当候補号機とすることができる。したがって、制御装置１０は、Ａ号機、Ｂ号機、及びＣ号機の中から、所定の割当ルールにしたがって、割当号機を決定する。
【００６８】
（判断例２）
図１１は、実施形態１に係るエレベータの群管理システムにおいて一般行先階登録に対して実行される号機の割当動作を説明するためのエレベータシャフト断面図である（判断例２）。図１２Ａ、図１２Ｂ、図１２Ｃは、実施形態１に係るエレベータの群管理システムにおいて一般行先階登録に対して実行される号機の割当動作を説明するためのエレベータ運行線図である（判断例２）。図１１、図１２Ａ、図１２Ｂ、図１２Ｃは、一例として、新規に、４階で８階への一般行先階呼びが行先階登録装置２０に入力された場合を示している。具体的に、図１２Ａは、この新規の４階での８階への一般行先階呼びをＡ号機に仮割当した場合を示し、図１２Ｂは、同新規の一般行先階呼びをＢ号機に仮割当した場合を示し、図１２Ｃは、同新規の一般行先階呼びをＣ号機に仮割当した場合を示す。なお、いずれの図においても、実線で示す運行線は、既に登録されている一般行先階呼びまたは当該新規の一般行先階呼びに関する運行線を示し、点線で示す運行線は、これらの一般行先階呼びの後で仮割当した特定行先階呼びに関する運行線を示す。なお、これらの図で示す時間は、一例であり、エレベータの仕様や運行状態、階床間距離等によって変化する。
【００６９】
（１）Ａ号機に仮割当した場合
図１２Ａに示すように、４階での８階への一般行先階呼びを例えばＡ号機に仮割当した場合、Ａ号機は、既存の８階への行先階呼びに対して応答し、新規の４階での８階への行先階呼びに対して応答した後、特定行先階呼びに対して応答可能な状態となる。ここで、Ａ号機においては、この新規の４階での８階への行先階呼びに応答して８階に到着し、出発可能となる時点で既に５５秒が経過している。つまり、ここの時点で基準時間の３０秒よりも長くなっている。そのため、Ａ号機は、１階及び９階での特定行先階呼びに対して基準時間内に応答可能な号機ではない。Ｂ号機は、９階への応答時間は５０秒、１階への応答時間は５０秒である。そのため、Ｂ号機は、１階及び９階での特定行先階呼びに対して基準時間内に応答可能な号機ではない。Ｃ号機は、９階への応答時間は１２．５秒、１階への応答時間は１２．５秒である。そのため、Ｃ号機は、１階及び９階での特定行先階呼びに対して基準時間内に応答可能な号機である。よって、Ａ号機に、４階での８階への一般行先階呼びを仮割当した場合、１階での特定行先階呼びに対して基準時間内に応答可能な号機としてＣ号機が存在し、９階での特定行先階呼びに対して基準時間内に応答可能な号機としてＣ号機が存在する。したがって、Ａ号機を、当該一般行先階呼びに対する割当候補号機とする。
【００７０】
（２）Ｂ号機に仮割当した場合
図１２Ｂに示すように、４階での８階への一般行先階呼びを例えばＢ号機に仮割当した場合、Ｂ号機は、既存の１階での５階への行先階呼びに対して応答し、当該新規の４階での８階への行先階呼びに対して応答した後、特定行先階呼びに対して応答可能な状態となる。ここで、Ｂ号機においては、この既存の１階での５階への行先階呼びに対して応答して５階へ到着し、出発可能となる時点で既に３７．５秒が経過している。つまり、この時点で基準時間の３０秒よりも長くなっている。そのため、Ｂ号機は、１階及び９階での特定行先階呼びに対して基準時間内に応答可能な号機ではない。Ａ号機は、９階への応答時間は２０秒、１階への応答時間は３５秒である。そのため、Ａ号機は、９階での特定行先階呼びに対して基準時間内に応答可能な号機であるが、１階での特定行先階呼びに対して基準時間内に応答可能な号機ではない。Ｃ号機は、Ａ号機に当該一般行先階呼びを仮割当した場合同様、９階への応答時間は１２．５秒、１階への応答時間は１２．５秒である。そのため、Ｃ号機は、１階及び９階での特定行先階呼びに対して基準時間内に応答可能な号機である。よって、Ｂ号機に、６階での１階への一般行先階呼びを仮割当した場合、１階での特定行先階呼びに対して基準時間内に応答可能な号機としてＣ号機が存在し、９階での特定行先階呼びに対して基準時間内に応答可能な号機としてＡ号機及びＣ号機が存在する。したがって、Ｂ号機を、当該一般行先階呼びに対する割当候補号機とする。
【００７１】
（３）Ｃ号機に仮割当した場合
図１２Ｃに示すように、４階での８階への一般行先階呼びを例えばＣ号機に仮割当した場合、Ｃ号機は、行先階呼びを持たず、５階で待機中であるので、即座に当該新規の４階での８階への行先階呼びに対して応答した後、特定行先階呼びに対して応答可能な状態となる。ここで、Ｃ号機においては、当該新規の４階での８階への行先階呼びに対して応答して８階へ到着し、出発可能となる時点で既に３２．５秒が経過している。つまり、この時点で既に基準時間の３０秒よりも長くなっている。なお、この後、特定行先階呼びに応答した場合、１階への応答時間は５２．５秒、９階への応答時間は、３７．５秒となる。そのため、Ｃ号機は、１階及び９階での特定行先階呼びのいずれに対しても基準時間内に応答可能な号機ではない。Ａ号機は、９階への応答時間は２０秒、１階への応答時間は３５秒である。そのため、Ａ号機は、９階での特定行先階呼びに対して基準時間内に応答可能な号機であるが、１階での特定行先階呼びに対して基準時間内に応答可能な号機ではない。Ｂ号機は、９階への応答時間は５０秒、１階への応答時間は５０秒である。そのため、Ｂ号機は、１階及び９階での特定行先階呼びに対して基準時間内に応答可能な号機ではない。よって、Ｃ号機に、４階での８階への一般行先階呼びを仮割当した場合、９階での特定行先階呼びに対して基準時間内に応答可能な号機としてＡ号機が存在するが、１階での特定行先階呼びに対して基準時間内に応答可能な号機が存在しない。したがって、Ｃ号機を、当該一般行先階呼びに対する割当候補号機としない。
【００７２】
（４）割当号機の決定
上述のように、本例では、Ｃ号機以外のＡ号機及びＢ号機を、４階での８階への一般行先階呼びに対する割当候補号機とすることができる。したがって、制御装置１０は、Ａ号機及びＢ号機の中から、所定の割当ルールにしたがって、割当号機を決定する。
【００７３】
３．まとめ
以上説明したように、本実施形態の群管理装置は、利用者が行先階を登録するための行先階登録装置２０と、行先階登録装置２０で登録された行先階に基づいて複数台のエレベータのうちのいずれかを割り当てる制御装置１０とを備えた、エレベータの群管理システムである。
行先階登録装置２０は、利用者により行先階が入力され、入力された行先階に関する信号を出力する行先階入力部（行先階入力部２５及び制御部２１）と、特定の利用者により特定の利用者であることが入力され、特定の利用者であることを示す信号を制御装置１０に出力する利用者入力部（カードリーダ２６及び制御部２１）と、を備える。
制御装置１０は、基準時間と、特定の利用者に対応付けられた特定階とを記憶する記憶部１２と、制御部１１と、を備える。
制御装置１０の制御部１１は、行先階登録装置２０から行先階に関する信号が入力された際に特定の利用者であることを示す信号が入力された特定行先階呼びが生じた場合は、複数の号機のうち、特定行先階呼びが生じてから特定の利用者が特定階で乗車可能となるまでの待ち時間が基準時間以内である号機を割り当てる。また、制御装置１０の制御部１１は、行先階登録装置２０から行先階に関する信号が入力された際に特定の利用者であることを示す信号が入力されない一般行先階呼びが生じた場合は、当該一般行先階呼びの後で発生する特定行先階呼びにおける待ち時間が基準時間内である号機が残存するように、当該一般行先階呼びに対して複数の号機のうちのいずれかの号機を割り当てる。
【００７４】
これにより、一般行先階呼びが生じた場合、当該一般行先階呼びの後で発生する特定行先階呼びにおける待ち時間が基準時間内である号機が残存するように、当該一般行先階呼びに対して複数の号機のうちのいずれかの号機が割り当てられる。したがって、特定の利用者は、行先階を入力してから基準時間内にいずれかの号機に乗車し、あるいは行先階を入力してから基準時間内に行先階で降車することができる。したがって、行先階登録装置を有する群管理システムにおいて、特定の利用者に対して優先的にサービスを提供することができる。
【００７５】
また、呼びの割り当て変更をすることなく特定利用者に対する優先サービスを行えるので、一般の利用者に不快な思いをさせなくて済む。
【００７６】
また、本実施形態では、全階に行先階登録装置２０が設置されている。そのため、登録済みの呼びによる各号機の運行ルートを確定させることができる。これにより、特定行先階呼びに対する応答時間（待ち時間）を精度良く予測することができ、上記のような割当制御が可能となる。
【００７７】
本実施形態のエレベータの群管理装置において、制御装置１０の制御部１１は、一般行先階呼びが生じた場合、複数の号機のそれぞれにおいて、当該一般行先階呼びを割り当てたと仮定して、当該一般行先階呼びの後で発生する特定行先階呼びにおける待ち時間が基準時間内の号機が存在するか否かの判断を行い、待ち時間が基準時間内の号機が存在する場合は、待ち時間に関する判断を行った号機を当該一般行先階呼びに対する割当候補号機として設定し、待ち時間が基準時間内の号機が存在しない場合は、待ち時間に関する判断を行った号機を当該一般行先階呼びに対する割当候補号機として設定せず、設定された割当候補号機の中から所定のルールにしたがって当該一般行先階呼びに対する割当号機を決定する。
【００７８】
これにより、基準時間内に乗車可能な号機が存在する場合、待ち時間に関する判断を行った号機は当該一般行先階呼びに対する割当候補号機として設定されるが、基準時間内に乗車可能な号機が存在しない場合、待ち時間に関する判断を行った号機は当該一般行先階呼びに対する割当候補号機として設定されない。したがって、本実施形態による制御を最初から行えば、基準時間内に乗車可能な号機が残存することとなる。そして、設定された割当候補号機の中から所定のルールにしたがって当該一般行先階呼びに対する割当号機が決定されることとなる。
【００７９】
本実施形態のエレベータの群管理装置において、制御装置１０の制御部１１は、特定行先階呼びが生じた場合、複数の号機のそれぞれにおいて、当該特定行先階呼びを割り当てたと仮定して、当該特定行先階呼びにおける待ち時間が基準時間内の号機が存在するか否かの判断を行う。また、制御装置１０の制御部１１は、待ち時間が基準時間内の号機が存在する場合は、待ち時間に関する判断を行った号機を当該特定行先階呼びに対する割当候補号機として設定し、待ち時間が基準時間内の号機が存在しない場合は、待ち時間に関する判断を行った号機を当該特定行先階呼びに対する割当候補号機として設定せず、設定された割当候補号機の中から所定のルールにしたがって当該特定行先階呼びに対する割当号機を決定する。
【００８０】
これにより、待ち時間が基準時間内の号機が存在する場合、当該判断対象の号機は当該特定行先階呼びに対する割当候補号機として設定されるが、待ち時間が基準時間内の号機が存在しない場合、当該判断対象の号機は当該特定行先階呼びに対する割当候補号機として設定されない。そして、設定された割当候補号機の中から所定のルールにしたがって当該特定行先階呼びに対する割当号機が決定されることとなる。
【００８１】
（実施形態２）
本発明の実施形態２に係るエレベータの群管理システムについて図面を参照して説明する。なお、実施形態１との相違点を中心として説明する。
【００８２】
実施形態１に係るエレベータの群管理システムでは、制御装置は、応答時間（待ち時間）に基づいて割当動作を行うが、本実施形態では、サービス完了時間（後述する）に基づいて割当動作を行う。
【００８３】
以下、実施形態２に係るエレベータの群管理システムについて詳しく説明する。
【００８４】
１．構成
本実施形態のエレベータの群管理システムのハードウェア構成は、実施形態１に係るエレベータの群管理システムと同一である。しかし、記憶部１２には、実施形態１とは異なるプログラムが記憶されている。そして、当該プログラムが制御部１１で実行されることにより、実施形態２に係るエレベータの群管理システム特有の動作が実現される。
【００８５】
２．動作
本実施形態に係るエレベータの群管理システムは、割当候補号機の決定処理の動作が実施形態１とは異なる。それ以外の動作は実施形態１と同一である。そのため、割当候補号機の決定処理を中心として説明する。
【００８６】
図１３は、実施形態２に係るエレベータの群管理システムにおいて一般行先階呼びに対して実行される号機の割当動作の流れを示すフローチャートである。
【００８７】
本フローチャートのステップＳ３１、Ｓ３４〜Ｓ３９では、実施形態１の図５のフローチャートのステップＳ１１、Ｓ１４〜Ｓ１９と同一の処理が行われる。
【００８８】
ステップＳ３２では、制御装置１０は、ｃａｒ号機に対して一般行先階呼びを割当した場合における、当該一般行先階呼びの発生後に発生する可能性のある特定行先呼びについてのサービス完了時間を求める。サービス完了時間とは、特定行先階呼びが生じてから特定の利用者が特定サービス対象階で乗車して行先階で降車可能となるまでの時間である。
【００８９】
ステップＳ３３では、制御装置１０は、当該一般行先階呼びの後で発生した特定行先階呼びに対するサービス完了時間が基準時間以内の号機が存在するか否かを判定する。なお、本実施形態では、基準時間を例えば６０秒に設定している。しかし、基準時間はこれに限定されず、６０秒より長くても、短くてもよい。長くすれば、割当候補号機を増加させることができるが、特定行先階呼びを行った利用者に対するサービス完了時間が長くなる。短くすれば、特定行先階呼びを行った利用者に対するサービス完了時間が短くなるが、割当候補号機が少なくなる。
【００９０】
求めたサービス完了時間が基準時間以内の号機が存在するときは（Ｓ３３でＹＥＳ）、制御装置１０は、実施形態１と同様のステップＳ３４以後の処理を実行する。これに対し、求めたサービス完了時間が基準時間以内の号機が存在しないときは（Ｓ３３でＮＯ）、制御装置１０は、実施形態１と同様のステップＳ３５以後の処理を実行する。
【００９１】
図１４は、実施形態２に係るエレベータの群管理システムにおいて特定行先階呼びに対して実行される号機の割当動作の流れを示すフローチャートである。
【００９２】
本フローチャートのステップＳ４１、Ｓ４４〜Ｓ４９では、実施形態１の図６のフローチャートのステップＳ２１、Ｓ２４〜Ｓ２９と同一の処理が行われる。
【００９３】
ステップＳ４２では、制御装置１０は、ｃａｒ号機に対して特定行先階呼びを割当した場合におけるサービス完了時間を求める。サービス完了時間とは、前述の通り、特定行先階呼びが生じてから特定の利用者が乗車し降車可能となるまでの時間である。
【００９４】
ステップＳ４３では、制御装置１０は、ｃａｒ号機の特定行先階呼びに対するサービス完了時間が基準時間以内か否かを判定する。そして、求めたサービス完了時間が基準時間以内であるときは（Ｓ４３でＹＥＳ）、制御装置１０は、実施形態１と同様のステップＳ４４以後の処理を実行する。これに対し、求めたサービス完了時間が基準時間以内でないときは（Ｓ４３でＮＯ）、制御装置１０は、実施形態１と同様のステップＳ４５以後の処理を実行する。
【００９５】
３．まとめ
以上説明したように、実施形態２に係るエレベータの群管理システムにおいては、制御装置１０の制御部１１は、行先階登録装置２０から行先階に関する信号が入力された際に特定の利用者であることを示す信号が入力された特定行先階呼びが生じた場合は、複数の号機のうち、特定行先階呼びが生じてから特定の利用者が特定階で乗車して行先階で降車可能となるまでのサービス完了時間が基準時間以内である号機を割り当てる。また、制御装置１０の制御部１１は、行先階登録装置２０から行先階に関する信号が入力された際に特定の利用者であることを示す信号が入力されない一般行先階呼びが生じた場合は、当該一般行先階呼びの後で発生する特定行先階呼びにおけるサービス完了予定時間が基準時間内である号機が残存するように、当該一般行先階呼びに対して複数の号機のうちのいずれかの号機を割り当てる。
【００９６】
これにより、一般行先階呼びが生じた場合、当該一般行先階呼びの後で発生する特定行先階呼びにおけるサービス完了予定時間が基準時間内である号機が残存するように、当該一般行先階呼びに対して複数の号機のうちのいずれかの号機が割り当てられる。したがって、特定の利用者は、行先階を入力してから基準時間内にいずれかの号機に乗車し、あるいは行先階を入力してから基準時間内に行先階で降車することができる。したがって、行先階登録装置を有する群管理システムにおいて、特定の利用者に対して優先的にサービスを提供することができる。
【００９７】
本実施形態のエレベータの群管理装置において、制御装置１０の制御部１１は、一般行先階呼びが生じた場合、複数の号機のそれぞれにおいて、当該一般行先階呼びを割り当てたと仮定して、当該一般行先階呼びの後で発生する特定行先階呼びにおけるサービス完了時間が基準時間内の号機が存在するか否かの判断を行い、サービス完了時間が基準時間内の号機が存在する場合は、サービス完了時間に関する判断を行った号機を当該一般行先階呼びに対する割当候補号機として設定し、サービス完了時間が基準時間内の号機が存在しない場合は、サービス完了時間に関する判断を行った号機を当該一般行先階呼びに対する割当候補号機として設定せず、設定された割当候補号機の中から所定のルールにしたがって当該一般行先階呼びに対する割当号機を決定する。
【００９８】
これにより、基準時間内に降車可能な号機が存在する場合、サービス完了時間に関する判断を行った号機は当該一般行先階呼びに対する割当候補号機として設定されるが、サービス完了時間が基準時間内の号機が存在しない場合、サービス完了時間に関する判断を行った号機は当該一般行先階呼びに対する割当候補号機として設定されない。したがって、本実施形態による制御を最初から行えば、基準時間内に降車可能な号機が残存することとなる。そして、設定された割当候補号機の中から所定のルールにしたがって当該一般行先階呼びに対する割当号機が決定されることとなる。
【００９９】
本実施形態のエレベータの群管理装置において、制御装置１０の制御部１１は、特定行先階呼びが生じた場合、複数の号機のそれぞれにおいて、当該特定行先階呼びを割り当てたと仮定して、当該特定行先階呼びにおけるサービス完了時間が基準時間内の号機が存在するか否かの判断を行う。また、制御装置１０の制御部１１は、サービス完了時間が基準時間内の号機が存在する場合は、サービス完了時間に関する判断を行った号機を当該特定行先階呼びに対する割当候補号機として設定し、サービス完了時間が基準時間内の号機が存在しない場合は、サービス完了時間に関する判断を行った号機を当該特定行先階呼びに対する割当候補号機として設定せず、設定された割当候補号機の中から所定のルールにしたがって当該特定行先階呼びに対する割当号機を決定する。
【０１００】
これにより、サービス完了時間が基準時間内の号機が存在する場合、サービス完了時間に関する判断を行った号機は当該特定行先階呼びに対する割当候補号機として設定されるが、サービス完了時間が基準時間内の号機が存在しない場合、サービス完了時間に関する判断を行った号機は当該特定行先階呼びに対する割当候補号機として設定されない。そして、設定された割当候補号機の中から所定のルールにしたがって当該特定行先階呼びに対する割当号機が決定されることとなる。
【０１０１】
（その他の実施形態）
前記各実施形態では、制御装置１０は、各号機に割り当てられている全ての行先階呼びをサービスし終えた後、特定行先階呼びに応答するものとして応答時間（待ち時間）を演算する。しかし、特定利用者に対して空の号機かごを提供しなくてもよい場合、この演算方法を採用しなくてもよい。例えば、制御装置１０は、既に登録済の一般行先階呼びに係る号機が特定行先階呼びの特定サービス対象階と同一の階をサービスする場合、当該号機を割り当ててもよい。
【符号の説明】
【０１０２】
１０  制御装置
１１  制御部
１２  記憶部
１３  入出力インタフェース
２０  行先階登録装置
２１  制御部
２２  記憶部
２３  入出力インタフェース
２４  表示部
２４ａ  号機表示部
２４ｂ  行先階表示部
２５  行先階入力部
２６  カードリーダ
３０  エレベータ制御装置
【図１】
2015067437.tif 000003
【図２】
2015067437.tif 000004
【図３】
2015067437.tif 000005
【図４】
2015067437.tif 000006
【図５】
2015067437.tif 000007
【図６】
2015067437.tif 000008
【図７】
2015067437.tif 000009
【図８】
2015067437.tif 000010
【図９】
2015067437.tif 000011
【図１０Ａ】
2015067437.tif 000012
【図１０Ｂ】
2015067437.tif 000013
【図１０Ｃ】
2015067437.tif 000014
【図１１】
2015067437.tif 000015
【図１２Ａ】
2015067437.tif 000016
【図１２Ｂ】
2015067437.tif 000017
【図１２Ｃ】
2015067437.tif 000018
【図１３】
2015067437.tif 000019
【図１４】
2015067437.tif 000020